(57)【要約】【課題】スイッチ装着具の揺動を抑止し、スイッチが被取付物から落下するようなことを防止し、また、スイッチを押しても取付枠が回転して傾くことなく、スイッチを押せば確実にスイッチのオンオフ動作を可能とするスイッチ装着具を実現する。【解決手段】スイッチ装着具２は、スイッチ１を取り付ける取付枠１０と、取付枠１０に取り付けられた吸着盤１１を備え、スイッチ１を被取付物の面に着脱自在に装着可能であり、取付枠１０は、吸着盤１１の吸着方向と同じ方向に向く規制凸部２７を設け、吸着盤２７を被取付物の面に吸着し、スイッチ１とともにスイッチ装着具２を被取物の面に装着した状態において、被取付物が振動しても、規制凸部２７が被取物の面に当接してスイッチ装着具２の揺動を抑止する。【選択図】図１
2015201324.tif 000002
【特許請求の範囲】
【請求項１】
スイッチを取り付ける取付枠と、取付枠に取り付けられた吸着盤を備え、スイッチを被取付物の面に着脱自在に装着するためのスイッチ装着具であって、
取付枠には、吸着盤の吸着方向と同じ方向に向く規制凸部が設けられており、
吸着盤を被取付物の面に吸着し、スイッチとともにスイッチ装着具を被取付物に装着した状態において、被取付物が振動しても、規制凸部が被取付物の面に当接してスイッチ装着具の揺動を抑止する構成であることを特徴とするスイッチ装着具。
【請求項２】
取付枠は、平板状のスイッチ取付部と吸着盤取付部とから一体に形成されており、
規制凸部は、吸着盤取付部に設けられている構成であることを特徴とする請求項１に記載のスイッチ装着具。
【請求項３】
吸着盤取付部は、水平部と垂直部とから成り、規制凸部は、垂直部に設けられている構成であることを特徴とする請求項２に記載のスイッチ装着具。
【請求項４】
垂直部には錠穴状の係合孔が形成されており、この係合孔に吸着盤の取付首部を係脱自在に係合可能な構成であることを特徴とする請求項３に記載のスイッチ装着具。
【請求項５】
被取付物は、圃場における作業に使用されるトラクタ又は作業機であることを特徴とする請求項１〜４のいずれかに記載のスイッチ装着具。
【発明の詳細な説明】
【技術分野】
【０００１】
本発明は、スイッチ装着具に関し、特にトラクタで牽引して圃場の農作業を行う圃場作業機等における電気系統のスイッチを、トラクタや圃場作業機のフレームに着脱可能に装着可能とするスイッチ装着具に関する。
【背景技術】
【０００２】
従来、各種の圃場作業機において、作業機が装備するセンサ、油圧ポンプ等を制御する電気系統には、電源スイッチ、操作スイッチ等が設けられている（特許文献１、２参照）。
【０００３】
そして、圃場の耕耘の深さ（耕深）を均一にして作物の成育を向上させるために、圃場の適当な場所に立設したレーザ発光器から水平方向に投射される光ビームの信号を、作業機に搭載した受光器で受光し、水平方向の光ビームを基準線として作業機の高さ位置を検出するレベルセンサを使用して、作業機の姿勢を制御する制御装置が知られている（特許文献３参照）。
【０００４】
特許文献１〜３に示されているような圃場作業機における各種の電気機器（油圧ポンプ、各種センサ、受光器を含むレベルセンサ等）の電気系統のスイッチは、トラクタの操作パネル等に設けられることが多いが、オプションとして、トラクタ又は作業機における作業者が操作し易い箇所を選択して、その箇所に適宜、着脱可能に装着できるようにすると作業効率が上がる。
【０００５】
また、例えば、特許文献３に示されているレベルセンサ及び制御装置を、オプション的に搭載するような場合もあり、そのような場合は、その電源スイッチや操作スイッチを、トラクタ又は作業機における作業者が操作し易い箇所を選択して、その箇所に適宜、着脱可能に装着できるようにすることが好ましい。
【０００６】
そこで、本出願人は、図３に示すようなスイッチ装着具４０を開発した。このスイッチ装着具４０は、スイッチ１を取り付ける取付枠１０と吸着盤１１を備えており、この吸着盤１１によって、スイッチ１をトラクタ又は作業機のフレームの面（被装着物３５の面３６）に着脱可能に装着するものである。
【先行技術文献】
【特許文献】
【０００７】
【特許文献１】特開平１１−１９２００１号公報
【特許文献２】特開２００１−４５８０１号公報
【特許文献３】特開平９−９７１０号公報
【発明の概要】
【発明が解決しようとする課題】
【０００８】
図３（ａ）に示すスイッチ装着具４０は、トラクタ又は作業機のフレームにおいて、スイッチを操作し易い箇所を選択して、その箇所に自由に着脱可能であるから、作業者の好みで自由に着脱箇所を選んで付け替えができ、作業効率が上がる。
【０００９】
しかしながら、トラクタ又は作業機が圃場における耕耘作業等の際に上下動や振動したりすると、スイッチ装着具４０も上下動する。特に、スイッチ装着具４０は、図３（ｂ）に示すように、吸着盤１１の取付首部３０の取付枠１０への係合部３３を中心に揺動する。
【００１０】
このような上下動や揺動により生じる力が吸着盤１１に作用し、吸着盤１１がトラクタ又は作業機のフレームの面（被装着物３５の面３６）から剥がれて、スイッチ１とともにスイッチ装着具４０が落下してしまうという問題が生じる。
【００１１】
また、スイッチ装着具４０が揺動すると、電線５を揺らし他の部材に接触させたりして、必ずしも好ましくない。
【００１２】
そして、樹脂、ゴム等の材料で形成された吸着盤１１における取付枠１０への取付首部３０が剛性を備えていない場合は、スイッチ１のボタンの押しボタン４をオンオフ操作のために押すと、吸着盤１１の取付首部３０における取付枠１０への係合部３３を中心にして、取付枠１０が回転して傾いてしまう。
【００１３】
その結果、スイッチ１が押しにくい、スイッチ１を押してオンオフ動作させるためにはかなり強い力で押さなくてならない、或いはスイッチ１を押してもスイッチ動作できない、等の問題が生じる。
【００１４】
本発明は、上記問題を解決することを目的とするものであり、スイッチ装着具の上下動や揺動を抑止し、落下するようなことを防止し、また、スイッチを押しても取付枠が回転して傾くことなく、スイッチを押せば確実にスイッチのオンオフ動作を可能とするスイッチ装着具を実現することを課題とする。
【課題を解決するための手段】
【００１５】
本発明は上記課題を解決するために、スイッチを取り付ける取付枠と、取付枠に取り付けられた吸着盤を備え、スイッチを被取付物の面に着脱自在に装着するためのスイッチ装着具であって、取付枠には、吸着盤の吸着方向と同じ方向に向く規制凸部が設けられており、吸着盤を被取物の面に吸着し、スイッチとともにスイッチ装着具を被取付物に装着した状態において、被取付物が振動しても、規制凸部が被取付物の面に当接してスイッチ装着具の揺動を抑止する構成であることを特徴とするスイッチ装着具を提供する。
【００１６】
取付枠は、平板状のスイッチ取付部と吸着盤取付部とから一体に形成されており、規制凸部は、吸着盤取付部に設けられている構成であることが好ましい。
【００１７】
吸着盤取付部は、水平部と垂直部とから成り、規制凸部は、垂直部に設けられている構成であることが好ましい。
【００１８】
垂直部には錠穴状の係合孔が形成されており、この係合孔に吸着盤の取付首部を係脱自在に係合可能な構成であることが好ましい。
【００１９】
被取付物は、圃場における作業に使用されるトラクタ又は作業機であることが好ましい。
【発明の効果】
【００２０】
本発明によれば、取付枠の後面に回転規制凸部を設けたので、トラクタ又は作業機が上下動したり振動したりしても、スイッチ装着具の揺動を抑止して、落下するようなことを防止でき、また、スイッチを押しても取付枠が回転して傾くことなく、スイッチを押せば確実にスイッチのオンオフ動作を可能となる。
【図面の簡単な説明】
【００２１】
【図１】本発明に係るスイッチ装着具にスイッチを取り付けた状態を示す斜視図であり、（ａ）はスイッチ装着具にスイッチを取り付けた状態を示す、（ｂ）は（ａ）を分解した図である。
【図２】本発明に係るスイッチ装着具にスイッチを取り付けた状態を示す図であり、（ａ）は側面図であり、（ｂ）は正面図であり、（ｃ）は背面図である。
【図３】本発明の改良前のスイッチ装着具説明する図であり、（ａ）はスイッチを取り付けた状態で被取付物に取り付けた状態を説明する側面図であり、（ｂ）は課題を説明する図である。
【発明を実施するための形態】
【００２２】
本発明に係るスイッチ装着具を実施するための形態を実施例に基づき図面を参照して、以下説明する。
【００２３】
本明細書では、スイッチ装着具をトラクタ又は作業機（本願発明では、「被装着物」とも言う）のフレーム等の面に装着する場合、スイッチ装着具についての前後方向は、装着する面に向いた方向を後方とし、装着する面に対して手前側を前方という。
【００２４】
本発明に係るスイッチ装着具は、スイッチをトラクタ又は作業機（本願発明では、「被装着物」とも言う）のフレーム等の面（本願発明では、「被装着物の面」とも言う）に装着するための器具である。ここで作業機とは、圃場において耕耘、掘削、均平等、各種の農作業を行う機械である。
【００２５】
本明細書では、スイッチ装着具を被装着物の面に装着する場合、スイッチ装着具についての前後方向は、装着する面に向いた方向を後方とし、装着する面に対して手前側を前方という。
【実施例】
【００２６】
本発明に係るスイッチ装着具の実施例を図１及び図２において説明する。図１（ａ）及び図２は、スイッチ１を取り付けた状態のスイッチ装着具２を示す図である。
【００２７】
本実施例のスイッチ装着具２に装着するスイッチ１は、断面略四角型であり、スイッチ本体３の前面に、スイッチオンオフ操作用の押しボタン４が設けられており、スイッチ本体３の後面に電線５が取り付けられている。スイッチ装着具２は、図１（ｂ）の分解図に示すように、取付枠１０及び吸着盤１１を備えている。
【００２８】
取付枠１０は、スイッチ取付部１４と吸着盤取付部１５とから一体に形成されている。スイッチ取付部１４は、平板状に形成されており、スイッチ本体３を挿入して取り付ける取付孔１６が設けられている。
【００２９】
吸着盤取付部１５は、水平部１９と垂直部２０から断面Ｌ字型板状に形成されている。垂直部２０には、後記する吸着盤１１の取付首部３０を係合して取り付ける錠穴状の係合孔２１が形成されている。係合孔２１は、挿入用の大きな孔２５と係合用の小さな孔２６が連通して設けられている。
【００３０】
図２（ａ）、（ｃ）に示すように、垂直部２０の後面には、即ち吸着盤１１に対向する面に規制凸部２７が突設されている。被装着物３５の面３６に対向する規制凸部２７の後端面２８は、平坦な面に形成されている。
【００３１】
垂直部２０の後面から規制凸部２７の後端面２８までの高さｈは、吸着盤１１を被装着物３５の面３６に押しつけて取り付けた際に（図２（ａ）参照）、後端面２８が被装着物３５の面３６に当接又は略当接した状態となるような寸法に決められる。
【００３２】
吸着盤１１は、図１（ｂ）、図２（ａ）、（ｃ）に示すように、その裏面の中心部に前方に向けて、取付首部３０が突設されている。取付首部３０は、断面円形で円筒状に形成されており、先端側は大径部３１が形成されており、大径部３１の基端側に小径部３２が形成されている。
【００３３】
大径部３１は、係合孔２１の大きな孔２５を通過するが小さな孔２６は通過しないように形成されている。小径部３２は、係合孔２１の小さな孔２６に、丁度嵌合するように形成されている。
【００３４】
（作用）
上記構成から成るスイッチ装着具２の作用について、以下説明する。スイッチ装着具２を組み立てるには、吸着盤１１の取付首部３０を、吸着盤取付部１５の係合孔２１の大きな孔２５に挿通する。
【００３５】
そして、吸着盤１１を、吸着盤取付部１５の垂直部２０の面に沿って相対的にスライドし、吸着盤１１の取付首部３０を係合孔２１の小さな孔２６に嵌合して係合させる。これによって、吸着盤１１をスイッチ取付部１４に取り付けて、スイッチ装着具２が組み立てられる。
【００３６】
このようにして組み立てられたスイッチ装着具２に、スイッチ１を取り付ける。そのために、スイッチ本体３をスイッチ取付部１４の取付孔１６に嵌合させる。
【００３７】
スイッチ装着具２に取り付けたスイッチ１を、被装着物（トラクタ又は作業機等）３５の面３６に取り付ける場合は、吸着盤１１を、図２（ａ）に示すように、吸着盤１１を被装着物３５の面３６に当接してから点線で示す状態となるように押しつけて吸着させることで、スイッチ装着具２とともにスイッチ１を取り付けることができる。              
【００３８】
このようにしてスイッチ装着具２を取り付けると、規制凸部２７の後端面２８は被装着物３５の面３６に、当接又はほぼ当接した状態となる。
【００３９】
このような状態となると、圃場において、被装着物（トラクタ又は作業機）３５が振動しても、規制凸部２７が被装着物３５の面３６に当接して規制され、スイッチ１及びスイッチ装着具２の上下動や揺動が抑止される。そのため、スイッチ装着具２が上下動や揺動して吸着盤１１へ作用するようなことがないので、被装着物３５の面３６から剥離して落下するようなことは防止される。
【００４０】
また、スイッチ押しボタン４を押した場合に、吸着盤１１の取付首部３０と吸着盤取付部１５の係合部３３を中心に揺動するようなこともないので、スイッチ１を確実に操作して動作が可能となる。
【００４１】
以上、本発明に係るスイッチ装着具を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４２】
本発明に係るスイッチ装着具は上記のような構成であるから、圃場の作業機だけでなく、他の機械装置や建築物へのオプションスイッチの装着具としても適用可能である。
【符号の説明】
【００４３】
１  スイッチ
２  スイッチ装着具
３  スイッチ本体
４  押しボタン
５  電線
１０  取付枠
１１  吸着盤
１４  スイッチ取付部
１５  吸着盤取付部
１６  取付孔
１９  水平部
２０  垂直部
２１  係合孔
２５  大きな孔
２６  係合用の小さな孔
２７  規制凸部
２８  規制凸部の後端面
３０  取付首部
３１  大径部
３２  小径部
３３  取付首部の取付枠への係合部
３５  被装着物（トラクタ又は作業機）
３６  被装着物の面
４０  スイッチ装着具
【図１】
2015201324.tif 000003
【図２】
2015201324.tif 000004
【図３】
2015201324.tif 000005